(57)【要約】【課題】（１）収納・販売態様におけるビデオテープカセットのガタツキを防止し、サイズの異なるレンタル用ケースの前面を揃えると共に２段階に高さを揃えて展示可能であること、（２）サイズの異なる円盤状記録媒体のレンタル用ケースについて２段階に高さを揃えて展示可能であること、とした記録媒体の販売とレンタル展示兼用カバーケースを提供すること。【解決手段】収納・販売態様において、ビデオテープカセットは、蓋体の移動規制片と本体の右側部とにより正面から見て短手（横）方向の移動を規制され、かつ、蓋体のストッパー部と本体の底部とにより長手（縦）方向の移動を規制されるてガタツキを防止される。レンタルショップにおける展示態様において、レンタル用ケースは、本体の下方位置に付け替えられる蓋体の上面又はストッパー部に底面を当接させることにより、上部を開口から露出させた状態とされる。【選択図】  図１
2004203420.tif 000002
【特許請求の範囲】
【請求項１】
記録媒体としてのビデオテープカセット若しくは同カセットを収めた横幅の大きさの異なるレンタル用ケースの夫々を箱型本体の正面側から出し入れできるように開閉自由とした扉と、そのレンタル用ケースを出し入れするための上面側の開口を開閉する蓋体を設け、前記ビデオテープカセットをそのまま収納した収納・販売態様と、前記開口位置から外して前記本体の下方位置に付け替えられた蓋体に、前記レンタル用ケースの底面を当接させて同ケースの上部を前記開口から所定高さに露出させるレンタルショップにおける展示態様の何れかに可変自由に設けられた記録媒体の販売とレンタル展示兼用カバーケースにおいて、
前記蓋体の内面には、前記本体に収納されるビデオテープカセットの正面から見て短手（横）方向の移動を規制する規制片と長手（縦）方向の移動を規制するストッパー部とを形成し、それらの規制片及びストッパー部によって当該テープカセットのガタツキを防止するように設け、展示態様とする場合に、横幅の大きいレンタル用ケースについては前記蓋体の上面にその底面を当接させることにより、同ケースの上部を前記開口から少なくとも２段階の高さに露出可能とされ、横幅の小さいレンタル用ケースについては反転状態とされた前記蓋体のストッパー部にその底面を当接させることにより、同ケースの上部を前記開口から少なくとも２段階の高さに露出可能とされると共に、前記規制片によって本体の背表紙側に寄せられるように設けたことを特徴とする記録媒体の販売とレンタル展示兼用カバーケース。
【請求項２】
記録媒体としての円盤状記録媒体を箱型本体の正面側から出し入れできるように正面の扉を開閉自由に設けると共に該本体の上面を開放し若しくは閉鎖する蓋体を設け、円盤状記録媒体を本体に設けられた保持部に固定してそのまま収納した収納・販売態様と、円盤状記録媒体を本体から取り出して前記扉を閉じた状態にて、同記録媒体を格納するレンタル用ケースの上部を上方の開口から所定高さに露出させるレンタルショップにおける展示態様の何れかに可変自由に設けられた記録媒体の販売とレンタル展示兼用カバーケースにおいて、前記蓋体は、前記本体の上面位置と複数の下方位置に付け替えられるように設けられると共に所定高さのストッパー部を内方に突出するように形成され、展示態様とする場合に、前記上面位置から外して前記本体の何れかの下方位置に付け替えられた前記蓋体の上面又は反転状態とされた蓋体のストッパー部に、レンタル用ケースの底面を当接させることにより、同ケースの上部を前記上面の開口から少なくとも２段階の高さに露出可能に設けたことを特徴とする記録媒体の販売とレンタル展示兼用カバーケース。
【発明の詳細な説明】
【０００１】
【発明の属する技術分野】
本発明は、音楽や映像を記録したビデオテープカセット、コンパクトディスク（ＣＤ）、デジタルバーサタイルディスク（ＤＶＤ）等の記録媒体の販売とレンタル展示兼用カバーケースに関する。
【０００２】
【従来の技術】
従来の記録媒体としてのビデオテープカセットの販売とレンタル展示兼用カバーケースは、ビデオテープカセット若しくは同カセットを収めたレンタル用ケースを箱型本体の正面側から出し入れできるように扉を開閉自由とし、その本体の上面側の開口を開閉する蓋体を設け、その開口からビデオテープカセットを収めたレンタル用ケースを出し入れできる構造とされている。そして、ビデオテープカセットをそのまま収納した収納・販売態様と、レンタルショップにおいてビデオテープカセットを別に用意したレンタル用ケースに移し替えてから同ケースを前記開口から挿入することにより、レンタル用ケースの上部を開口から所定高さに露出させた状態とする展示態様の何れにも利用できるようにされている。
因みに、この種のカバーケースの一例として、本件出願人に係るものが、第２６４００７４号特許公報にて開示されている。
【０００３】
従来のコンパクトディスク等の円盤状記録媒体の販売とレンタル展示兼用カバーケースは、円盤状記録媒体を箱型本体の正面側から出し入れできるように扉を開閉自由に設けると共に本体の上面を開放し若しくは閉鎖する蓋体を設けた構造とされている。そして、円盤状記録媒体を本体に設けられた保持部に固定してそのまま収納した収納・販売態様と、円盤状記録媒体を本体から取り出して扉を閉じた状態にて、同記録媒体を格納するレンタル用ケースの上部を上方の開口から所定高さに露出させた状態とするレンタルショップにおける展示態様の何れにも利用できるようにされている。
因みに、この種のカバーケースの一例として、本件出願人に係るものが、第３３０１５４１号特許公報にて開示されている。
【０００４】
【発明が解決しようとする課題】
前者のビデオテープカセットの販売・レンタル展示兼用カバーケースにおいては、レンタル用ケースをカバーケースの開口から内部に奥深く挿入する構造とされているので、そのレンタル用ケースの進入を妨げるような突起物を内空間部に設けることはできない。しかして、ビデオテープカセットをカバーケースにそのまま収めて出荷・輸送する場合において、同カセットが、上下方向や左右方向に隙間があるために、カタカタと動いてしまうことがある。
【０００５】
ビデオテープカセットを格納するレンタル用ケースには横幅の大きい扉付ケースと、長手方向を開放した横幅の小さい横入れケースの２種類が市場に流通しており、そのサイズの差異（横幅寸法：８ｍｍ、高さ寸法２ｍｍ）があっても同じ大きさの販売・レンタル展示兼用カバーケースを使用しているため、横入れケースの場合には遊び量（隙間）が多くなってしまって短手（横）方向のガタツキを生じやすい。また、レンタルショップにおいて横幅の異なるレンタル用ケースを使用してブック式展示を行なう場合に、各カバーケースに収納されるレンタル用ケースの前面が遊び量の差異により凹凸状になって一律に揃わないので、見栄えがよくない。
【０００６】
さらに、カバーケースを陳列する棚については、収容高さ寸法の大きいものと小さいものが使用されていることから、レンタル用ケースをカバーケースに対して高い位置（１６ｍｍ）で展示する場合と低い位置（１３ｍｍ）で展示する場合とがある。そこで、横幅の大きい扉付ケースと横幅の小さい横入れケースについて、棚との関係を考慮して２段階の高さに揃えて展示することが可能なビデオテープカセットの販売・レンタル展示兼用カバーケースの開発が要望されていた。
【０００７】
後者の円盤状記録媒体を格納するレンタル用ケースについては、防犯錠を取り付けた状態にてレンタル展示を行い、貸し出しの際に防犯錠を外して貸し出す方法が一般的である。その防犯錠の構造はメーカーによりいろいろあって大きさも区々であることから、必然的にレンタル用ケースについても高さや幅寸法の異なる数種類のものが市場に流通している。他方、販売・レンタル展示兼用カバーケースについては、ほぼ同じ高さ寸法とされているところ、レンタル用ケースの上部を当該カバーケースの開口から高い位置（１６ｍｍ）か、低い位置（１３ｍｍ）の何れかの高さにて露出させた状態とされていた。しかし、１種類の販売・レンタル展示兼用カバーケースでサイズの異なるレンタル用ケースを一定の高さに露出させる構造としたものは見受けられない。
【０００８】
また、前述したビデオテープカセットの場合と同様に、カバーケースを陳列する棚についても、収容高さの大きいものと小さいものとが使用されていることから、前記レンタル用ケースをカバーケースに対して高い位置で展示する場合と低い位置で展示する場合とがあった。そこで、高さ寸法の異なるレンタル用ケースについて、棚との関係を考慮して２段階の高さに揃えて展示することが可能な円盤状記録媒体の販売・レンタル展示兼用カバーケースの開発が要望されていた。
【０００９】
この発明の目的は、（１）収納・販売態様におけるビデオテープカセットのガタツキを防止し、サイズの異なるレンタル用ケースの前面を揃えると共に２段階に高さを揃えて展示可能であること、（２）サイズの異なる円盤状記録媒体のレンタル用ケースについて２段階に高さを揃えて展示可能であること、とした利便性に優れた記録媒体の販売とレンタル展示兼用カバーケースを提供することにある。
【００１０】
【課題を解決するための手段】
前記目的を達成するために請求項１に記載の発明は、記録媒体としてのビデオテープカセット若しくは同カセットを収めた横幅の大きさの異なるレンタル用ケースの夫々を箱型本体の正面側から出し入れできるように開閉自由とした扉と、そのレンタル用ケースを出し入れするための上面側の開口を開閉する蓋体を設け、前記ビデオテープカセットをそのまま収納した収納・販売態様と、前記開口位置から外して前記本体の下方位置に付け替えられた蓋体に、前記レンタル用ケースの底面を当接させて同ケースの上部を前記開口から所定高さに露出させるレンタルショップにおける展示態様の何れかに可変自由に設けられた記録媒体の販売とレンタル展示兼用カバーケースにおいて、
前記蓋体の内面には、前記本体に収納されるビデオテープカセットの正面から見て短手（横）方向の移動を規制する規制片と長手（縦）方向の移動を規制するストッパー部とを形成し、それらの規制片及びストッパー部によって当該テープカセットのガタツキを防止するように設け、展示態様とする場合に、横幅の大きいレンタル用ケースについては前記蓋体の上面にその底面を当接させることにより、同ケースの上部を前記開口から少なくとも２段階の高さに露出可能とされ、横幅の小さいレンタル用ケースについては反転状態とされた前記蓋体のストッパー部にその底面を当接させることにより、同ケースの上部を前記開口から少なくとも２段階の高さに露出可能とされると共に、前記規制片によって本体の背表紙側に寄せられるように設けたことを特徴とする。
【００１１】
同様の目的を達成するために請求項２に記載の発明は、記録媒体としての円盤状記録媒体を箱型本体の正面側から出し入れできるように正面の扉を開閉自由に設けると共に該本体の上面を開放し若しくは閉鎖する蓋体を設け、円盤状記録媒体を本体に設けられた保持部に固定してそのまま収納した収納・販売態様と、円盤状記録媒体を本体から取り出して前記扉を閉じた状態にて、同記録媒体を格納するレンタル用ケースの上部を上方の開口から所定高さに露出させるレンタルショップにおける展示態様の何れかに可変自由に設けられた記録媒体の販売とレンタル展示兼用カバーケースにおいて、
前記蓋体は、前記本体の上面位置と複数の下方位置に付け替えられるように設けられると共に所定高さのストッパー部を内方に突出するように形成され、展示態様とする場合に、前記上面位置から外して前記本体の何れかの下方位置に付け替えられた前記蓋体の上面又は反転状態とされた蓋体のストッパー部に、レンタル用ケースの底面を当接させることにより、同ケースの上部を前記上面の開口から少なくとも２段階の高さに露出可能に設けたことを特徴とするものである。
【００１２】
【発明の作用及び効果】
（請求項１の発明）
収納・販売態様において、カバーケースに収納されるビデオテープカセットは、蓋体の移動規制片と本体の右側部とにより正面から見て短手（横）方向の移動を規制され、かつ、蓋体のストッパー部と本体の底部とにより長手（縦）方向の移動を規制されるので、出荷・輸送時等におけるガタツキを防止することができる。
【００１３】
また、レンタルショップにおける展示態様において、横幅の大きいレンタル用ケースは、カバーケースの開口位置から外して本体の下方位置に付け替えた蓋体の上面にその底面を当接させることにより、同ケースの上部がその開口から露出した状態となる。また、レンタル用ケースの露出高さについては、本体に対する蓋体の取り付け位置を変更することにより、少なくとも２段階に調節することができる。
【００１４】
横幅の小さいレンタル用ケースは、カバーケースの開口位置から外して本体の下方位置に反転させて付け替えた前記蓋体のストッパー部にその底面を当接させることにより、同ケースの上部がその開口から露出し、かつ、規制片によって本体の背表紙側に寄せられた状態とされる。また、レンタル用ケースの露出高さについては、本体に対する蓋体の取り付け位置を変更することにより、少なくとも２段階に調節することができる。
【００１５】
しかして、この記録媒体の販売とレンタル展示兼用カバーケースによれば、出荷・輸送時等におけるビデオテープカセットのガタツキを防止することができる。加えて、レンタルショップにおいてブック式展示を行う場合には、多数のレンタル用ケースの中に横幅の異なるレンタル用ケースが夫々混在していても、各レンタル用ケースの前面を背表紙側に揃えることができると共に、同レンタル用ケースの露出高さを揃えることができるため、見栄えが良くなる。
【００１６】
（請求項２の発明）
レンタルショップにおける展示態様において、円盤状記録媒体のレンタル用ケースは、カバーケースの開口位置から外して本体の下方位置に付け替えた蓋体の上面にその底面を当接させることにより、同ケースの上部がその開口から低い位置で露出した状態となる。また、蓋体を同じ箇所にて反転させて付け替え、同蓋体のストッパー部にその底面を当接させることにより、同ケースの上部がその開口から高い位置で露出した状態となる。
【００１７】
しかして、この記録媒体の販売とレンタル展示兼用カバーケースによれば、円盤状記録媒体のレンタル用ケースの露出高さを、本体に対する蓋体の取り付け向きを変更することにより２段階に調節することができる。さらに、高さの異なるレンタル用ケースについても、蓋体の取り付け位置を変更することによりに高さを揃えて展示を行うことが可能である。
【００１８】
【発明の実施の形態】
以下に、本発明の実施の形態例を図面に基づいて説明する。図１〜図５は第１実施の形態例、図６〜図８は第２実施の形態例に係るものである。図１はビデオテープカセットの販売とレンタル展示兼用カバーケースの扉を開いた状態を示す正面図、図２は蓋体の斜視図、図３は扉付レンタル用ケースＲ１のレンタル展示態様（高い位置）を示すカバーケースの縦断正面図、図４は扉付レンタル用ケースＲ１のレンタル展示態様（低い位置）を示すカバーケースの縦断正面図、図５は横入れレンタル用ケースＲ２のレンタル展示態様（低い位置）を示すカバーケースの縦断正面図、図６は円盤状記録媒体の販売とレンタル展示兼用カバーケースの扉を開いた状態を示す正面図、図７は蓋体の斜視図、図８はレンタル用ケースＲ３のレンタル展示態様を示すカバーケースの縦断正面図である。
【００１９】
（第１実施の形態例）
本発明の記録媒体の販売とレンタル展示兼用カバーケースの第１実施形態例であるビデオテープカセットの販売とレンタル展示兼用カバーケースＡ（以下、単に「カバーケースＡ」という）について説明を行なう。
図１において、このカバーケースＡは、箱型形状の本体１と、同本体１の上面に形成される開口２を閉鎖又は開放する蓋体４５による２体構造とされている。
【００２０】
このカバーケースＡは、背部１０、背表紙側たる左側部２０、右側部２５、底部３５とからなる箱型形状の本体１と、正面の扉４０とを合成樹脂材料により一体成形している。それら背部１０と左側部２０との連接部、左側部２０と扉４０との連接部については、薄肉に形成することによりヒンジとして機能するように設けられている。扉４０は、上面と右側部２５及び底部３５から分離しており、左側部２０を伴い開閉自由に設けられている。
【００２１】
図１に示すように、上記本体１の背部１０には、左側部２０に平行に沿うように案内片１１を、右側部２５の内面にはリブ２６及び弾力性を有する案内片２７を、底部３５の内面には補強リブを兼ねた突片３６を夫々一体に形成する。そして、本体１の左側部２０寄りに突設された開口枠片１２と、右側部２５の上端２５ａの対向する内面には、一対の係合部１３，２８を夫々設ける。同様に、右側部２５側の内面下方位置には、上下方向に所定間隔を置いて（この実施の形態例では、３ｍｍ）第１係合部２９と第２係合部３０を設ける。また、案内片１１の下方位置には、第１係合部１４と第２係合部１５を上下方向に設ける。それら第１係合部２９，１４、第２係合部３０，１５とは、夫々対向するように設けられている。
【００２２】
上記左側部２０内面下方には、内方に突出する突片２１を一体に設ける。そして、その突片２１と上記案内片２７の対向する間隔寸法については、ビデオテープカセットＴを本体１に収納して扉４０を閉じたときに、そのカセットＴの横幅（短手）方向に僅かに余裕を持たせるように設ける。
【００２３】
蓋体４５には、図２に示すように、長方形状の平板部４６の左右端に沿うように係止突条４７，４７を形成すると共にその内面４６ａの長手方向中央に一定高さのストッパー部４８が一体に形成されている。そして、蓋体４５の内面４６ａの端縁には、本体１に収納されるビデオテープカセットＴの正面から見て短手（横）方向の移動を規制するための規制片４９を直立状に上記ストッパー部４８に連続させて形成している。その規制片４９の先端部４９ａは、外方向に傾斜するように設けられている。
【００２４】
しかして、このカバーケースＡは、図１に示すように、蓋体４５の係止突条４７，４７を前記係合部１３，２８に夫々係合することにより、開口２が閉鎖されるように設けられている。そして、収納・販売態様におけるビデオテープカセットＴは、蓋体４５の移動規制片４９及び突片２１と、案内片２７とにより正面から見て短手（横）方向の移動を規制され、かつ、ストッパー部４８と底部３５の突片３６とにより長手（縦）方向の移動を規制されるので、出荷・輸送時等におけるガタツキを防止することができる。
【００２５】
つぎに、このカバーケースＡをレンタルショップにおける展示態様とする場合について、詳しく説明する。
【００２６】
なお、前述したように、市場に流通しているビデオテープカセットのレンタルケースについては２種類あり、扉付レンタル用ケースＲ１については、横入れレンタル用ケースＲ２よりも横幅寸法を８ｍｍ、高さ寸法を２ｍｍ程度大きく製作されている。
【００２７】
（扉付レンタルケースＲ１のとき）
図３に示すように、カバーケースＡの蓋体４５を開口２の位置から一旦外してから、当該蓋体の係止突条４７、４７を本体１の第１係合部２９，１４に夫々係合させて付け替える。そして、扉付レンタルケースＲ１をカバーケースＡの開口２に挿入すると、同レンタルケースＲ１の底面が蓋体４５の上面に当接し、同レンタルケースＲ１の上部は開口２から高い位置（１６ｍｍ）にて露出した状態とされる。
【００２８】
また、蓋体の係止突条４７、４７を第２係合部３０，１５に夫々係合させて付け替えることにより、扉付レンタルケースＲ１の上部は開口２から低い位置（１３ｍｍ）にて露出した状態とされる（図４）。
【００２９】
（横入れレンタル用ケースＲ２のとき）
図５に示すように、カバーケースＡの蓋体４５を開口２の位置から一旦外してから、当該蓋体を反転させた状態にてその係止突条４７、４７を本体１の第２係合部３０，１５に夫々係合させる。そして、横入れレンタル用ケースＲ２をカバーケースＡの開口２から挿入すると、同レンタルケースＲ２の底面が蓋体４５のストッパー部４８に当接し、同レンタルケースＲ２の上部は開口２から低い位置（１３ｍｍ）にて露出し、かつ、規制片４９によって本体１の背表紙（左側部２０）側に寄せられた状態とされる。
【００３０】
また、蓋体の係止突条４７、４７を第１係合部２９，１４に夫々係合させて付け替えることにより、横入れレンタル用ケースＲ２の上部は開口２から高い位置（１６ｍｍ）にて露出した状態とされる。
【００３１】
しかして、このカバーケースＡによれば、出荷・輸送時等におけるビデオテープカセットＴのガタツキを防止することができる。レンタルショップにおいてブック式展示を行う場合には、多数の扉付レンタルケースＲ１と横入れレンタル用ケースＲ２とが混在していても、各レンタル用ケースの前面を背表紙側に揃えることができると共に、同レンタル用ケースの露出高さを高い位置か低い位置の何れかに揃えることができる。
【００３２】
（第２実施の形態例）
本発明の記録媒体の販売とレンタル展示兼用カバーケースの第２実施形態例である円盤状記録媒体の販売とレンタル展示兼用カバーケースＢ（以下、単に「カバーケースＢ」という）について説明を行なう。
図６において、このカバーケースＢは、箱型形状の本体５１と、同本体５１の上面に形成される開口５２を閉鎖又は開放する蓋体８５による２体構造とされている。
【００３３】
このカバーケースＢは、背部５５、左側部６５、右側部７０、底部７５とからなる箱型形状の本体５１と、正面の扉８０とを合成樹脂材料により一体成形している。それら背部５５と左側部６５との連接部、左側部６５と扉８０との連接部については、薄肉に形成することによりヒンジとして機能するように設けられている。扉８０は、上面と右側部７０及び底部７５から分離しており、左側部６５を伴い開閉自由に設けられている。
【００３４】
その背部５５のほぼ中央には、図示しない円盤状記録媒体の固定用穴を嵌着させて固定するための保持部５６が設けられている。また、本体５１の左側部６５寄りに突設された開口枠片５７と、右側部７０の上端７０ａの対向する内面には、一対の係合部５８，７１を夫々設ける。５９ａは左側部６５寄りの背部５５に前記開口枠片５７と連続するように形成された縦方向の案内片、５９ｂは右側部７０寄りの背部５５に形成された縦方向の案内片である。
【００３５】
上記案内片５９ａ，５９ｂの内面には、上下方向に所定間隔を置いて第１係合部６０，６０、第２係合部６１，６１、第３係合部６２，６２、第４係合部６３，６３を夫々対向状に設ける。それらの係合部は、メーカーによって高さが区々であるレンタル用ケースＲ３を、本発明の１種類のカバーケースＢに収めて２段階の高さ（１６ｍｍ，１３ｍｍ）で露出させる展示態様とするために複数箇所に設けられている。参考までに、各メーカーにより製作されるレンタル用ケースの寸法と本発明のカバーケースＢに設ける係合部との対応関係を表１に示す。
【００３６】
【表１】
2004203420.tif 000003
【００３７】
蓋体８５には、図７に示すように、長方形状の平板部８６の左右の端縁に沿うように係止突条８７，８７を形成すると共にその内面８６ａの左右の両端部に所定高さのストッパー部８８を夫々一体に形成している。
【００３８】
しかして、このカバーケースＢは、図６に示すように、蓋体８５の係止突条８７，８７を前記係合部５８，７１に夫々係合することにより、開口５２を閉鎖するように設けられている。
【００３９】
つぎに、このカバーケースＢをレンタルショップにおける展示態様とする場合について具体的に説明する。
例えば、ｅ社にかかる円盤状記録媒体のレンタル用ケースＲ３については、カバーケースＢの蓋体８５を開口５２の位置から一旦外してから、当該蓋体８５の係止突条８７，８７を第３係合部６２，６２に係合させて付け替える。そして、レンタル用ケースＲ３をカバーケースＢの開口５２に挿入すると、同レンタルケースＲ３の底面が蓋体８５の上面に当接し、同レンタルケースＲ３の上部は開口５２から低い位置（１３ｍｍ）にて露出した状態とされる（図８）。
【００４０】
また、上記蓋体８５を同じ箇所にて反転させて付け替え、同蓋体８５のストッパー部８８にレンタルケースＲ３の底面を当接させることにより、同ケースＲ３の上部がその開口から高い位置（１６ｍｍ）で露出した状態とされる。
【００４１】
しかして、このカバーケースＢによれば、本体５１に対する蓋体８５の取り付け向きを変更することにより、円盤状記録媒体のレンタル用ケースの露出高さを２段階に調節することができる。さらに、メーカー毎に高さの異なるレンタル用ケースについても、蓋体の取り付け位置を変更することによりに一定の高さに揃えて展示を行うことができる。
【００４２】
上述した通り、このビデオテープカセットの販売とレンタル展示兼用カバーケースによれば、ビデオテープカセットの販売態様における出荷・輸送時に生ずる振動によるガタツキを防止することができる。また、このカバーケースを利用してレンタルショップにてブック式展示を行う場合、レンタル用ケースにサイズの相違があっても各レンタル用ケースの正面が背表紙側に揃えられて陳列されるので、大変見栄えが良い。
【００４３】
他方、この円盤状記録媒体の販売とレンタル展示兼用カバーケースによれば、レンタルショップにおけるレンタル用ケースの露出高さを２段階とすることができる。加えて、メーカー毎に高さの異なるレンタル用ケースについても、本発明のカバーケースによって露出高さを一定に揃えて展示することができる。
【図面の簡単な説明】
図１〜図５は第１実施の形態例、図６〜図８は第２実施の形態例に係るものである。
【図１】ビデオテープカセットの販売とレンタル展示兼用カバーケースの扉を開いた状態を示す正面図
【図２】蓋体の斜視図
【図３】扉付レンタル用ケースＲ１のレンタル展示態様（高い位置）を示すカバーケースの縦断正面図
【図４】扉付レンタル用ケースＲ１のレンタル展示態様（低い位置）を示すカバーケースの縦断正面図
【図５】横入れレンタル用ケースＲ２のレンタル展示態様（低い位置）を示すカバーケースの縦断正面図
【図６】円盤状記録媒体の販売とレンタル展示兼用カバーケースの扉を開いた状態を示す正面図
【図７】蓋体の斜視図
【図８】レンタル用ケースＲ３のレンタル展示態様を示すカバーケースの縦断正面図
【符号の説明】
Ｔ・・・ビデオテープカセット
Ｒ１・・・扉付レンタル用ケース
Ｒ２・・・横入れレンタル用ケース
Ａ・・・ビデオテープカセットの販売とレンタル展示兼用バーケース
１・・・本体
２・・・開口
１３，２８・・・係合部
１４，２９・・・第１係合部
１５，３０・・・第２係合部
４０・・・扉
４５・・・蓋体
４６ａ・・・内面
４７・・・係止突条  ４８・・・ストッパー部
４９・・・規制片
Ｂ・・・円盤状記録媒体の販売とレンタル展示兼用カバーケース
Ｒ３・・・（円盤状記録媒体の）レンタル用ケース
５１・・・本体
５２・・・開口
５６・・・保持部
５８，７１・・・係合部
６０〜６３・・・第１係合部〜第４係合部
８０・・・扉
８５・・・蓋体
８７・・・係止突条
８６ａ・・・内面
８８・・・ストッパー部
【図１】
2004203420.tif 000004
【図２】
2004203420.tif 000005
【図３】
2004203420.tif 000006
【図４】
2004203420.tif 000007
【図５】
2004203420.tif 000008
【図６】
2004203420.tif 000009
【図７】
2004203420.tif 000010
【図８】
2004203420.tif 000011